(57)【要約】【課題】適性な接続性を保証するとともに作業性等に優れ、実質的にコンパクト化を実現可能なプローブピンコネクタの接続方法を提供する。【解決手段】スリーブ１０２ｂに内包されたスプリング１０２ｃによりコンタクト部１０２ａが変位可能に構成されたプローブピン１０２を、絶縁性を有し少なくとも一部の側面と天面からなる略箱状のハウジング１０３の天面に対して内面側から圧入する。スリーブ１０２ｂの後端にフレキシブルプリント配線板１０４の導体露出部を接触させ、押さえ部材１０６にて押し付けることにより導通を得る。【選択図】      図１
2006221869.tif 000002
【特許請求の範囲】
【請求項１】
スリーブに内包されたスプリングによりそのコンタクト部が変位可能にプローブピンを構成し、
絶縁性を有する略箱状のハウジングの天面に対して内面側から上記プローブピンを圧入し、
上記スリーブの後端にフレキシブル配線板の導体露出部を接触させ、押さえ部材にて押し付けることにより導通を得るようにしたことを特徴とするプローブピンコネクタの接続方法。
【請求項２】
上記フレキシブル配線板と上記押さえ部材との間に弾性部材を配したことを特徴とする請求項１に記載のプローブピンコネクタの接続方法。
【請求項３】
上記弾性部材の上記各プローブピンの軸心に相当する箇所に凸部が設けられていることを特徴とする請求項２に記載のプローブピンコネクタの接続方法。
【請求項４】
上記押さえ部材は、ビスにより上記ハウジングに対して固定されることを特徴とする請求項１〜３のいずれか１項に記載のプローブピンコネクタの接続方法。
【請求項５】
上記押さえ部材は、リジッド配線板であることを特徴とする請求項１〜４のいずれか１項に記載のプローブピンコネクタの接続方法。
【請求項６】
上記ハウジングが、電子機器の外装を兼ねることを特徴とする請求項１〜５のいずれか１項に記載のプローブピンコネクタの接続方法。
【請求項７】
上記フレキシブル配線板の導体露出部の大きさが、上記スリーブ後端の大きさよりも小さく設定されていることを特徴とする請求項１〜６のいずれか１項に記載のプローブピンコネクタの接続方法。
【請求項８】
第１の電子機器には電源電池の取り出しを容易にするためのイジェクトばねが設けられている一方、上記ハウジングは第２の電子機器の一部を構成しており、上記電源電池が上記第１の電子機器から取り外された状態で上記第１の電子機器の電池室に挿入されるとともに、上記ハウジングの天面における上記イジェクトばねに相当する位置に凹部が形成されていることを特徴とする請求項１〜７のいずれか１項に記載のプローブピンコネクタの接続方法。
【請求項９】
上記プローブピンは、第１の領域と第２の領域に分けて配置され、上記凹部は上記第１の領域と上記第２の領域の間に形成されていることを特徴とする請求項８に記載のプローブピンコネクタの接続方法。
【請求項１０】
上記凹部は断面が逆台形の略皿形状となっており、上記ハウジングの凹部の断面において該凹部の周辺に生じる略三角形状の部分に、上記ビスのねじ穴が形成されていることを特徴とする請求項９に記載のプローブピンコネクタの接続方法。
【請求項１１】
上記第１の電子機器はカメラであって、上記第２の電子機器は、上記カメラに取り付けられる縦位置グリップであり、上記ハウジングは上記縦位置グリップの外装を兼ねることを特徴とする請求項１０に記載のプローブピンコネクタの接続方法。
【請求項１２】
少なくとも一部の側面と天面からなる略箱状の絶縁性ハウジングと、そのコンタクト部が変位可能に構成され、上記ハウジングの天面に対して内面側から圧入されたプローブピンとを有し、
上記プローブピンのスリーブの後端にフレキシブル配線板の導体露出部を接触させるとともに、押さえ部材にて押し付けることにより導通を得るようにしたことを特徴とするプローブピンコネクタ。
【発明の詳細な説明】
【技術分野】
【０００１】
本発明は、ハウジングにプローブピンを圧入してなるプローブピンコネクタの接続方法に関するものである。
【背景技術】
【０００２】
互いに着脱可能な電子機器間の電気的接続を得る方法の一つとして、スリーブに対してコンタクト部が変位可能に構成されたプローブピンを、ハウジングに対して圧入してなるプローブピンコネクタがある。
【０００３】
図４（ａ）は第１の従来例として、特許文献１に係るプローブピンコネクタ２０１の接続方法を示す図である。プローブピンコネクタ２０１は、プローブピン２０２をハウジング２０３に圧入して構成されている。このプローブピンコネクタ２０１は、図のごとくプリント配線板２０４にリフロー実装されて接続されている。
【０００４】
図４（ｂ）は第２の従来例としてのプローブピンコネクタ３０１の接続方法の図である。第１の従来例と異なるのは、プローブピン３０２の後端に棒状の端子が形成され、プリント配線板３０４を貫通して半田付けにより接続されている点である。
【０００５】
【特許文献１】特開平１０−２１４６６５号公報
【発明の開示】
【発明が解決しようとする課題】
【０００６】
しかしながら、第１の従来例には、以下に記載するような問題がある。すなわち、プリント配線板２０４にリフロー実装されることを前提としている。このためプローブピンコネクタ２０１の外形形状は、プリント配線板２０４の実装面に載せられる形状である必要があり、ハウジング２０３の形状に制約がある。この制約のためにハウジング２０３を外装部材として使用すること、例えば側面と天面を有する箱状の外装を兼ねるハウジングの天面にプローブピンを設けるなどということは不可能である。また、リフローにより半田でプリント配線板２０４と接続されているため、半田付けにまつわるブリッジや半田不着等の不具合の可能性がある。
【０００７】
第２の従来例においては、以下に記載するような問題がある。すなわち、手作業の半田付けによりプリント配線板３０４と接続するため、ハウジング３０３の形状の制約は少ないものの、プローブピン３０２の数が多いと半田付け作業が増えてしまう。さらに、半田付けの作業性を考慮すると隣接ピッチを狭めづらいので、プローブピン３０２の本数が多いとプローブピンコネクタ３０１が大型化してしまう。
【０００８】
また、第１及び第２の従来例に共通の問題として、以下のようなものがある。すなわち、接続を半田により行なっているため、プリント配線板２０４／３０４とプローブピンコネクタ２０１／３０１とを分解する必要がある場合、非常に作業性が悪い。プリント配線板２０４／３０４がフレキシブルプリント配線板である場合、機器への取り付けはハウジング２０３／３０３を固定することになる。この場合、プローブピン２０２／３０３が過大な力で押された際にはプローブピン２０２／３０３が内部に抜けてしまったり、他のプローブピン２０２／３０３の半田付け部が破壊してしまったりする恐れがある。プリント配線板２０４／３０４がリジッドプリント配線板であっても、ハウジング２０３／３０３を固定すれば同様の不具合の恐れがあり、逆にリジッドプリント配線板２０４／３０４を固定すると、リジッドプリント配線板２０４／３０４の取り付け誤差とプローブピンコネクタ２０１／３０１の実装誤差により、図示しない外装とプローブピン２０２／３０２との位置ずれを生じる恐れがある。
【０００９】
本発明はかかる実情に鑑み、適性な接続性を保証するとともに作業性等に優れ、実質的にコンパクト化を実現可能なプローブピンコネクタの接続方法を提供することを目的とする。
【課題を解決するための手段】
【００１０】
本発明は、上記従来技術の課題を解決し得るものである。
すなわち、第１の本発明の典型的態様では、スリーブに内包されたスプリングによりコンタクト部が変位可能に構成されたプローブピンを、絶縁性を有し少なくとも一部の側面と天面からなる略箱状のハウジングの天面に対して内面側から圧入してなるプローブピンコネクタにおいて、スリーブの後端にフレキシブルプリント配線板の導体露出部を接触させ、押さえ部材にて押し付けることにより導通を得るようにした。
【００１１】
第２の本発明では、上記フレキシブルプリント配線板と上記押さえ部材との間に弾性部材を配した。
第３の本発明では、上記弾性部材の上記各プローブピンの中心に相当する箇所に凸部を設けた。
第４の本発明では、上記押さえ部材は、ビスにより上記ハウジングに対して固定されるようにした。
第５の本発明では、上記押さえ部材は、リジッドプリント配線板であるようにした。
【００１２】
第６の本発明では、上記ハウジングが、電子機器の外装を兼ねるようにした。
第７の本発明では、上記フレキシブルプリント配線板の導体露出部の大きさが、上記スリーブ後端の大きさよりも小さく設定されているようにした。
【００１３】
第８の本発明では、第１の電子機器には電源電池の取り出しを容易にするためのイジェクトばねが設けられている一方、上記ハウジングは第２の電子機器の一部を構成しており、上記電源電池が前記第１の電子機器から取り外された状態で上記第１の電子機器の電池室に挿入されるとともに、上記ハウジングの天面の、前記イジェクトばねに相当する位置に凹部が形成されているようにした。
【００１４】
第９の本発明では、上記プローブピンは、第１の領域と第２の領域に分けて配置され、上記凹部は上記第１の領域と上記第２の領域の間に形成されているようにした。
第１０の本発明では、上記凹部は断面が逆台形の略皿形状となっており、上記ハウジングの凹部の断面において凹部の周辺に生じる略三角形状の部分に、上記ビスのねじ穴が形成されているようにした。
【００１５】
第１１の本発明では、上記第１の電子機器はカメラであって、上記第２の電子機器は、上記カメラに取り付けられる縦位置グリップであり、上記ハウジングは上記縦位置グリップの外装を兼ねることを特徴とする。
【００１６】
また、本発明のプローブピンコネクタは、少なくとも一部の側面と天面からなる略箱状の絶縁性ハウジングと、そのコンタクト部が変位可能に構成され、上記ハウジングの天面に対して内面側から圧入されたプローブピンとを有し、上記プローブピンのスリーブの後端にフレキシブル配線板の導体露出部を接触させるとともに、押さえ部材にて押し付けることにより導通を得るようにしたことを特徴とする。
【発明の効果】
【００１７】
第１の本発明を適用したプローブピンコネクタの接続方法は、押さえ部材がフレキシブルプリント配線板の導体露出部を、プローブピンのスリーブ後端に対して押し付けるので、リフローや半田付けによらずにプリント配線板とプローブピンの確実な導通を得ることができる。リフローによらないので、ハウジングの形状の自由度が格段に高まる。半田付け作業が不要なので、プローブピンの狭ピッチ化が図れる。半田を使用しないので、分解時の作業性がよい。また、押さえ部材がプローブピンをハウジング内面から押さえているので、コンタクト部が過大な力で押されてもプローブピンが抜けることがないし、半田を使用していないので半田付け部が破壊したりすることがない。
【００１８】
第２の本発明を適用したプローブピンコネクタの接続方法は、押さえ部材の押さえ力が、弾性部材により各プローブピンのスリーブ後端にかかるため、信頼性の高い接続を得ることができる。
【００１９】
第３の本発明を適用したプローブピンコネクタの接続方法は、弾性部材の凸部により、押さえ部材の押さえ力がプローブピンのスリーブの一部に集中してかかるため、より信頼性の高い接続を得ることができる。
【００２０】
第４の本発明を適用したプローブピンコネクタの接続方法は、プリント配線板の固定がビスによっているため、簡単な作業で充分な押さえ力を発生して確実な接続を得ることができ、分解時の作業性も極めてよい。
【００２１】
第５の本発明を適用したプローブピンコネクタの接続方法は、リジッドプリント配線板が押さえ部材を兼ねているため、他の回路を実装する場合に押さえ部材とは別にプリント配線板を設ける必要が無く、部品点数の削減、スペース効率の向上が図れる。
【００２２】
第６の本発明を適用したプローブピンコネクタの接続方法は、ハウジングが外装部材を兼ねているため、別に外装部材を設ける必要がなく、部品点数の削減、スペース効率の向上が図れる。
【００２３】
第７の本発明を適用したプローブピンコネクタの接続方法は、フレキシブルプリント配線板の導体露出部がプローブピンのスリーブ後端より小さいので、フレキシブルプリント配線板とプローブピンコネクタの相対位置がややズレてもスリーブ後端から導体露出部がはみ出すことがなく、互いに隣接するプローブピンと導体露出部とが接することがないため、プローブピンを狭ピッチ化して配置できる。
【００２４】
第８の本発明を適用したプローブピンコネクタの接続方法は、第２の電子機器を第１の電子機器の電池室に装着する際、ハウジングの凹部にイジェクトばねが落ち込んで力が軽減されるので、軽い操作で装着が可能であると同時に、装着状態でイジェクトばねにより第１及び第２の電子機器に互いに過大な力が掛かることがない。
【００２５】
第９の本発明を適用したプローブピンコネクタの接続方法は、ハウジング天面のほぼ中央をイジェクトばねが押すことになるのでプローブピンコネクタが傾くことがなく、第１の電子機器と第２の電子機器間のコンタクトによる接続が安定する。また、イジェクトばねが電池室のほぼ中心に存在させられることになり、第１の電子機器から電源電池を排出する際、電源電池の中央付近を押し出すことになるため、電源電池の動きがスムースでもある。
【００２６】
第１０の本発明を適用したプローブピンコネクタの接続方法は、凹部が逆台形の略皿形状であることから凹部周囲に生じる略三角形状のデッドスペースにねじ穴を設けるので、ビス中心と凹部中心を近づけることができ、プローブピンの設置可能面積が増えてスペース効率の向上が図れる。
【００２７】
第１１の本発明を適用したプローブピンコネクタの接続方法は、上述の効果から、カメラに取り付けられる縦位置グリップに使用した場合、従来より小型の電池を用いてもプローブピンの本数を減らさずに済む。
【発明を実施するための最良の形態】
【００２８】
以下、図面に基づき、本発明によるプローブピンコネクタの接続方法の好適な実施の形態を説明する。
図１は、本発明を適用したプローブピンコネクタの接続方法の拡大断面図である。図２は、本発明を適用したプローブピンコネクタの接続方法の分解斜視図である。図３は、本発明を適用したプローブピンコネクタの接続方法を用いてカメラに装着される縦位置グリップ、及びカメラの図である。以上の図において、同一の部材には同一の符号を付して以下説明する。
【００２９】
１０１はプローブピンコネクタであり、プローブピン１０２をハウジング１０３が保持してなる。プローブピン１０２はスリーブ１０２ｂに内包されたスプリング１０２ｃにより、コンタクト１０２ａがスリーブ１０２ｂに対して軸方向に変位可能に構成されている。これらスリーブ１０２ｂ、コンタクト１０２ａ、スプリング１０２ｃは全て金属製かつ金めっきを施してあり、常に電気的に同電位となるものである。
【００３０】
ハウジング１０３は絶縁性の材料で、側面と上面を有する略箱状の形状にモールド成型されており、外装部材を兼ねている。プローブピン１０２は圧入されることによりハウジング１０３に保持される。スリーブ１０２ｂの後端は、図１に示されるようにフランジ状に形成され、ハウジング１０３の穴径よりも大きくなっているため、圧入時のストッパーとして機能し、圧入深さが一定になるように構成されている。プローブピン１０２の設置間隔は、スリーブ１０２ｂの後端が互いに接触しない範囲で狭ピッチ化されている。
【００３１】
１０４はフレキシブルプリント配線板（以下、ＦＰＣという。）であり、各プローブピン１０２と接触して導通を得るために、各プローブピン１０２に対応した位置に導体露出部１０４ａが設けられている。１０５は弾性部材としてのゴムシートであり、各プローブピン１０２に対応した位置に凸部１０５ａが設けられて、ＦＰＣ１０４に重ねられる。１０６は押さえ部材としてのリジッドプリント配線板（以下、ＰＷＢという。）であり、ビス１０７でハウジング１０３に対して固定される。その結果、ＰＷＢ１０６はゴムシート１０５を介して、ＦＰＣ１０４の導体露出部１０４ａをプローブピン１０２のスリーブ１０２ｂに押し付けることになる。その結果、プローブピンコネクタ１０１のプローブピン１０２とＦＰＣ１０４の導体露出部１０４ａとが互いに電気的に接続されることになる。
【００３２】
図３において、縦位置グリップ１０９はその先端にプローブピンコネクタ１０１が取り付けられており、カメラ１０８の電池室１０８ａに挿入されてカメラ１０８と電気的に接続される。カメラ１０８の電池室１０８ａの天井には、電源電池の下方への排出を助けるイジェクトばね（不図示）が設けられており、図中左右方向の位置は、縦位置グリップ１０９において左右に分けられたプローブピン１０２群のほぼ中心に存在する。ハウジング１０３の凹部１０３ａはこのイジェクトばねの位置に対応して設けられており、断面形状が逆台形状の略皿形状に形成されている。
【００３３】
上記構成のプローブピンコネクタ１０１の接続方法に関して、本発明の特徴的な点を以下に説明する。第１の特徴は、プローブピンコネクタ１０１とＦＰＣ１０４の接続が半田ではなく、すなわち、押さえ部材としてのＰＷＢ１０６がＦＰＣ１０４の導体露出部１０４ａを、プローブピン１０２のスリーブ１０２ｂの後端に押し付けて導通を得ている点である。
【００３４】
このためリフロー工程や半田付け工程が不要である。リフロー工程がないことから、ハウジング１０３の形状自由度が格段に高まり、側面と天面を有する箱状の形状として外装を兼用して部品点数の削減を実現している。半田付け工程がないことから、プローブピン１０２の狭ピッチ化も実現している。押さえ部材としてのＰＷＢ１０６がプローブピン１０２をハウジング１０３内面から押さえているので、コンタクト１０２ａ部が過大な力で押されても、プローブピン１０２がハウジング１０３の内部に抜けることがない。また、前述のように半田を使用していないので、半田付け部の破壊などの半田にまつわる不具合も起こり得ない。
【００３５】
第２の特徴は、ＦＰＣ１０４とＰＷＢ１０６の間にゴムシート１０５が挟まれており、さらにゴムシート１０５には各プローブピン１０２に相対する位置に凸部１０５ａが設けられていることである。
【００３６】
このためプローブピン１０２の圧入深さのばらつきやスリーブ１０２ｂの後端の厚みのばらつきやＰＷＢ１０６の変形などを吸収し、ＰＷＢ１０６の押さえ力が各プローブピン１０２のスリーブ１０２ｂ後端に確実にかかるので信頼性の高い接続を得ることができる。さらに凸部１０５ａの存在により、ＰＷＢ１０６の押さえ力は各スリーブ１０２ａ後端の一部に集中してかかるので、より信頼性の高い接続を得ることができる。
【００３７】
第３の特徴はＰＷＢ１０６がビス１０７によりハウジング１０３に固定されていることである。
このためビス１０７を締め付けるという極めて簡単な作業で、ＰＷＢ１０６に充分な押さえ力を発生させることができる。逆にビス１０７を緩めるという極めて簡単な作業で、プローブピンコネクタ１０１とＦＰＣ１０４、ゴムシート１０５及びＰＷＢ１０６を分解することができる。
【００３８】
第４の特徴は、ＰＷＢ１０６が押さえ部材を兼用している点である。
このため不図示の他の回路を押さえ部材としてのＰＷＢ１０６に実装できるので、押さえ部材とは別にプリント配線板を設ける必要がなく、部品点数の削減やスペース効率の向上を図ることができる。
【００３９】
第６の特徴は、ＦＰＣ１０４の導体露出部１０４ａが、プローブピン１０２のスリーブ１０２ｂの後端より小さく形成されていることである。
このためＦＰＣ１０４とプローブピンコネクタ１０１の相対位置に多少の誤差が生じても、導体露出部１０４ａがスリーブ１０２ｂの後端からはみ出して隣接するスリーブ１０２ｂとショートするようなことはなく、プローブピン１０２を狭ピッチ化して配置できる。
【００４０】
第７の特徴は、プローブピン１０２が左右に振り分けられたほぼ中心に、カメラ１０８の電池室１０８ａの天井のイジェクトばねの逃げとしての凹部が形成されていることである。
【００４１】
このため縦位置グリップ１０９をカメラ１０８に取り付けた際に、イジェクトばねが凹部１０３ａに落ち込むことでばね力が軽減されるので、軽い操作で縦位置グリップ１０９の装着が行なえると同時に、装着状態でイジェクトばねによりカメラ１０８及び縦位置グリップ１０９に互いに過大な力が掛かることがない。また、ハウジング１０３の天面のほぼ中央をイジェクトばねが押すことになるので、プローブピンコネクタ１０１が傾くことがなく、カメラ１０８と縦位置グリップ１０９間のコンタクト１０２ａによる接続が安定する。また、カメラ１０８から電源電池を排出する際も電源電池の動きがスムースである。
【００４２】
第８の特徴は、図１から分かるように、ハウジング１０３の凹部１０３ａの断面が逆台形状の略皿形状に形成される。そして、凹部１０３ａの周囲に形成される略三角の領域にビス穴１０３ｂが設けられていることである。
【００４３】
これによりビス１０７中心と凹部１０３ａ中心を近づけることができる分、プローブピン１０２の設置可能面積が増えてスペース効率の向上が図れる。このことは、同じ大きさのハウジング１０３に対してより多くのプローブピン１０２が設置可能であること、または同じ本数のプローブピン１０２をより小さなハウジング１０３に設置可能であることを意味する。
【図面の簡単な説明】
【００４４】
【図１】本発明を適用したプローブピンコネクタの接続方法の断面図である。
【図２】本発明を適用したプローブピンコネクタの接続方法の分解斜視図である。
【図３】本発明を適用したプローブピンコネクタの接続方法によるカメラと縦位置グリップの図である。
【図４】（ａ）は第１の従来例としてのプローブピンコネクタの接続方法の実装状態の側面図、（ｂ）は第２の従来例としてのプローブピンコネクタの接続方法の実装状態の側面図である。
【符号の説明】
【００４５】
１０１：プローブピンコネクタ
１０２：プローブピン
１０２ａ：コンタクト
１０２ｂ：スリーブ
１０２ｃ：スプリング
１０３：ハウジング
１０３ａ：凹部
１０３ｂ：ねじ穴
１０４：フレキシブルプリント配線板
１０４ａ：導体露出部
１０５：ゴムシート
１０５ａ：凸部
１０６：リジッドプリント配線板
１０７：ビス
１０８：カメラ
１０９：縦位置グリップ
【図１】
2006221869.tif 000003
【図２】
2006221869.tif 000004
【図３】
2006221869.tif 000005
【図４】
2006221869.tif 000006